(57)【要約】      （修正有）【課題】小さい直径から大きい直径までの広範囲の円形物体（円管など）を切断することができる円形物体用切断機を提供する。【解決手段】物体Ｐ１を載置して、物体Ｐ１を保持する台座保持部１１と、台座保持部１１に対して略４５度の角度の略直角三角柱の傾斜面で、物体Ｐ１を押さえて支持する移動支持部１２と、台座保持部１１に対して略９０度の角度で、物体Ｐ１を押さえて切断する切断部１３と有し、移動支持部１２は、傾斜面に回転可能な複数の円柱形状の回転体１２ｂを備え、切断部１３は、少なくとも１つの円板部材１３ａを備え、円板部材１３ａの外縁が鋭角であり、移動支持部１２の回転体１２ｂと切断部１３の円板部材１３ａとで物体Ｐ１を挟んで、円板部材１３ａを回転して、円板部材１３ａの外縁で物体Ｐ１を切断する、ことを特徴とする。【選択図】図１
0003214965.tif 000002
【実用新案登録請求の範囲】
【請求項１】
物体を切断する円形物体用切断機であって、
前記物体を載置して、該物体を保持する台座保持部と、
前記台座保持部に対して略４５度の角度の略直角三角柱の傾斜面で、前記物体を押さえて支持する移動支持部と、
前記台座保持部に対して略９０度の角度で、前記物体を押さえて切断する切断部と
有し、
前記移動支持部は、前記傾斜面に回転可能な複数の円柱形状の回転体を備え、
前記切断部は、少なくとも１つの円板部材を備え、
前記円板部材の外縁が鋭角であり、
前記移動支持部の前記回転体と前記切断部の前記円板部材とで前記物体を挟んで、前記円板部材を回転して、該円板部材の外縁で該物体を切断する、
ことを特徴とする円形物体用切断機。
【請求項２】
前記移動支持部は、前記台座保持部に対して平行方向に移動可能な移動部材を備え、
前記切断部は、前記台座保持部に対して９０度の方向に移動可能な高さ調整部材を備え、
前記移動部材を用いて前記移動支持部を移動して、且つ、前記高さ調整部材を用いて前記切断部を移動して、前記移動支持部と前記切断部の前記円板部材とで前記物体を挟む、
ことを特徴とする請求項１に記載の円形物体用切断機。
【請求項３】
前記物体の直径に応じて、前記移動支持部を移動し、且つ、前記切断部を移動する、
ことを特徴とする、請求項１または請求項２のいずれか一項に記載の円形物体用切断機。
【考案の詳細な説明】
【技術分野】
【０００１】
本考案は、中空円柱状物体、円管、円環およびその他円形物体を切断する円形物体用切断機に関する。
【背景技術】
【０００２】
中空円柱状物体、円管、円環およびその他円形物体を切断する方法は多岐にわたり、例えば図３のように、円形物体を２つのローラおよびナイフに挟み、円形物体をナイフで切断するものがある。特許文献１には、主に固定部、回転部、ナイフアセンブリ、カッティングアセンブリを備え、片手で簡単に操作ができ、掌でカッティングアセンブリのカッティングノブを回動させることによって刃を出し入れすることができるパイプ用回転切断機に関する技術を開示している。特許文献２には、ラチェット歯状のネジ山を有するシャフトを回動自在に支持するシャフト支持部と、その後面から突出するシャフトの端部に締結されるグリップと、シャフト支持部に進退自在に外挿されるスライダと、スライダを前方のシャフト支持部に向けて付勢する引張バネと、シャフトのネジ山に係合可能な爪部を有し、スライダの角孔の内部に回動自在に設置されるストッパと、スライダの前方にシャフト支持部を挟んで対称に、かつ、リンク部材を介してシャフト支持部とスライダに枢設される切刃支持部及びローラ支持部と、切刃支持部及びローラ支持部によってそれぞれ支持される切刃及びローラを備える円管切断用工具に関する技術を開示している。
【先行技術文献】
【特許文献】
【０００３】
【特許文献１】登録実用新案公報第３０９８１３１号公報
【特許文献２】特開２０１０−２３１１７号公報
【考案の概要】
【考案が解決しようとする課題】
【０００４】
しかしながら、特許文献１および特許文献２に開示されている技術では、小さい直径から大きい直径までの広範囲の円形物体（円管など）を切断することができない場合がある。また、より簡易な方法で円形物体（円管など）を切断することができる円形物体用切断機に関する技術が求められている。
【０００５】
本考案は、物体を切断する円形物体用切断機であって、小さい直径から大きい直径までの広範囲の円形物体（円管など）を切断することができる円形物体用切断機を提供することを目的とする。
【課題を解決するための手段】
【０００６】
上記課題を解決するために、本考案の一つの実施形態は、物体を切断する円形物体用切断機であって、前記物体を載置して、該物体を保持する台座保持部と、前記台座保持部に対して略４５度の角度の略直角三角柱の傾斜面で、前記物体を押さえて支持する移動支持部と、前記台座保持部に対して略９０度の角度で、前記物体を押さえて切断する切断部と有し、前記移動支持部は、前記傾斜面に回転可能な複数の円柱形状の回転体を備え、前記切断部は、少なくとも１つの円板部材を備え、前記円板部材の外縁が鋭角であり、前記移動支持部の前記回転体と前記切断部の前記円板部材とで前記物体を挟んで、前記円板部材を回転して、該円板部材の外縁で該物体を切断する、ことを特徴とする円形物体用切断機を提供する。
【０００７】
本考案の他の実施形態は、上記の円形物体用切断機であって、前記移動支持部は、前記台座保持部に対して平行方向に移動可能な移動部材を備え、前記切断部は、前記台座保持部に対して９０度の方向に移動可能な高さ調整部材を備え、前記移動部材を用いて前記移動支持部を移動して、且つ、前記高さ調整部材を用いて前記切断部を移動して、前記移動支持部と前記切断部の前記円板部材とで前記物体を挟む、ことを特徴とする円形物体用切断機であってもよい。
【０００８】
本考案の他の実施形態は、上記のいずれか一つの円形物体用切断機であって、前記物体の直径に応じて、前記移動支持部を移動し、且つ、前記切断部を移動する、ことを特徴とする円形物体用切断機であってもよい。
【考案の効果】
【０００９】
本考案に係る円形物体用切断機によれば、小さい直径から大きい直径までの広範囲の円形物体（円形材、円環形材、円管、円柱、楕円柱など）を切断することができる。
【図面の簡単な説明】
【００１０】
【図１】本考案の実施形態に係る円形物体用切断機の例を説明する説明図である。
【図２】本考案の実施形態に係る円形物体用切断機の使用例の一例を説明する説明図である。
【図３】比較例を説明する説明図である。
【考案を実施するための形態】
【００１１】
実施形態に係る円形物体用切断機（以下、「切断機」という）の例を用いて、本考案を説明する。なお、本考案は、以後に説明する切断機以外でも、中空円柱状物体、円管、円環およびその他円形物体を切断するもの（装置、機械、部品、機器など）であれば、いずれのものにも用いることができる。なお、切断機の外形、素材、色は、特に限定されない。また、円形物体の素材、色は、特に限定されない。
【００１２】
以後に、本考案を説明する。
【００１３】
図１および図２を用いて、本考案の実施形態に係る切断機の構成を説明する。ここで、図１は、本考案の実施形態に係る切断機１００の例を説明する説明図である。図２は、本考案の実施形態に係る切断機の使用例の一例を説明する説明図である。なお、図１等に示す切断機の構成等は一例であり、本考案は図１等に示す切断機等に限定されるものではない。
【００１４】
図１に示すように、本考案に係る切断機１００は、円形物体（以下、「物体」という）Ｐ１を切断するものである。図１に示すように、本考案に係る切断機１００は、物体Ｐ１を保持する台座保持部１１と、物体Ｐ１を押さえて支持する移動支持部１２と、物体Ｐ１を押さえて切断する切断部１３と有する。本考案に係る切断機１００は、台座保持部１１を用いて物体Ｐ１を保持し、移動支持部１２を用いて物体Ｐ１を押さえて支持し、切断部１３を用いて物体Ｐ１を押さえて切断することができる。なお、事故やケガを防止するために、保護カバー等（不図示）を更に備えてもよい。
【００１５】
台座保持部１１は、図１に示すように、物体Ｐ１を載置して、物体Ｐ１を保持するものである。台座保持部１１は、物体Ｐ１を載置できる平板形状であればよく、形状は特に限定されない。また、台座保持部１１は、水平方向にスライドできる機構をさらに有してもよい（後述する図２）。
【００１６】
移動支持部１２は、図１に示すように、物体Ｐ１を押さえて支持するものである。移動支持部１２は、台座保持部１１に対して略４５度の角度の略直角三角柱の傾斜面で、物体Ｐ１を押さえて支持することができる。移動支持部１２は、本実施形態では、台座保持部１１に対して平行方向に移動可能な移動部材１２ａと、傾斜面に回転可能な複数の円柱形状の回転体１２ｂとを備える。なお、移動部材１２ａは、移動支持部１２を移動できる機構であればよく、ローラ型、スライド型などの公知の技術を利用することができる。また、回転体１２ｂは、実験、設計などで予め定められる形状とすることができる。
【００１７】
切断部１３は、図１に示すように、物体Ｐ１を押さえて切断するものである。切断部１３は、台座保持部１１に対して略９０度の角度で配置される。切断部１３は、本実施形態では、少なくとも１つの円板部材１３ａと、台座保持部１１に対して９０度の方向に移動可能な高さ調整部材１３ｂとを備える。
【００１８】
円板部材１３ａは、外縁が鋭角であり、回転して物体Ｐ１を切断するものである。ここで、円板部材１３ａの回転方法や機構は公知の技術を利用することができる。また、円板部材１３ａの切断方法や機構は公知の技術を利用することができる。なお、円板部材１３ａは、実験、設計などで予め定められる形状とすることができる。本考案に係る切断機１００は、円板部材として、たとえばナイフ、カッター、レシプロソーやバンドソー等の切断具を利用してもよい。
【００１９】
本考案に係る切断機１００は、図１に示すように、移動部材１２ａを用いて移動支持部１１を移動して、且つ、高さ調整部材１３ｂを用いて切断部１３を移動して、移動支持部１２と切断部１３の円板部材１３ａとで物体Ｐ１を挟むことができる。すなわち、本考案に係る切断機１００は、移動支持部１２の回転体１２ｂと切断部１３の円板部材１３ａとで物体Ｐ１を挟んで、円板部材１３ａを回転して、円板部材１３ａの外縁で物体Ｐ１を切断することができる。本考案に係る切断機１００は、高さ調整部材１３ｂを用いて切断部１３を移動して、たとえば物体Ｐ１の半径方向に円板部材１３ａを押圧することができ、物体Ｐ１を効率的に切断することができる。また、本考案に係る切断機１００によれば、使用者によって円形物体を挟み、たとえば片手で円形物体を一回転（３６０度回転）させて円形物体を切断することができる。
【００２０】
図２（ａ）乃至（ｃ）に示すように、本考案に係る切断機１００は、物体（Ｐ２、Ｐ３）の直径に応じて、移動支持部１２を移動し（図中のＭ１）、且つ、切断部１３を移動することができる（図中のＭ２）。これにより、本考案に係る切断機１００は、さまざまな種類および直径の円形物体を容易に配置することができ、容易に切断することができる。すなわち、本考案に係る切断機１００は、所望の大きさの円形物体を容易に切断することができる。また、比較例（例えば図３）と比較して、本考案に係る切断機１００は例えば約３倍（たとえば直径３５０ミリ以上）の円形物体を切断することができる。
【００２１】
以上のとおり、本考案に係る円形物体用切断機によれば、小さい直径から大きい直径までの広範囲の円形物体（円管など）を切断することができる。また、本考案に係る円形物体用切断機によれば、比較例（例えば図３）と比較して、略４５度の角度の略直角三角柱の移動支持部１２用いることができるので、装置全体を小型化することが可能である。また、本考案に係る円形物体用切断機によれば、切断部１３の高さ調整部材１３ｂを容易に大型化することができるので、切断する円形物体に応じて容易に装置全体を大型化することが可能である。
【００２２】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【産業上の利用可能性】
【００２３】
本発明は、事務用、家庭用、事業用その他あらゆる産業分野で使用される切断機に適用することができる。
【符号の説明】
【００２４】
１００  ：  円形物体用切断機
１１  ：  台座保持部
１２  ：  移動支持部
１２ａ：  移動部材
１２ｂ：  回転体
１３  ：  切断部
１３ａ：  円板部材
１３ｂ：  高さ調整部材
２００  ：  比較例
Ｐ１，Ｐ２，Ｐ３  ：  円形物体（円形材、円環形材、円管、円柱、楕円柱など）
【図１】
0003214965.tif 000003
【図２】
0003214965.tif 000004
【図３】
0003214965.tif 000005